(57)【要約】【課題】  設備コストを低く抑えて、遊技制御基板などの不正な交換を検出可能にする遊技機の監視システムを提供することである。【解決手段】  パチンコ台などの複数の遊技機１に個別に設けたＩＤ発信手段４ａ，４ｂ，・・・から固有のＩＤを受信するアンテナ２と、このアンテナ２を介して上記固有のＩＤを受信する信号受信手段Ｒ１と、監視対象である各遊技機１に対応させた固有のＩＤを記憶するＩＤ記憶手段１１と、このＩＤ記憶手段１１が記憶している個々のＩＤを受信したか否かを監視する監視手段１０とを備え、上記アンテナ２は監視対象の遊技機に対応させて設置した。【選択図】  図１
2006122648.tif 000002
【特許請求の範囲】
【請求項１】
パチンコ台などの複数の遊技機に個別に設けたＩＤ発信手段から固有のＩＤを受信するアンテナと、このアンテナを介して上記固有のＩＤを受信する信号受信手段と、監視対象である各遊技機に対応させた固有のＩＤを記憶するＩＤ記憶手段と、このＩＤ記憶手段が記憶している個々のＩＤを受信したか否かを監視する監視手段とを備え、上記アンテナは監視対象の遊技機に対応させて設置した遊技機の監視システム。
【請求項２】
複数のアンテナを信号受信手段に接続し、監視手段は、アンテナごとに受信可能な遊技機の位置を対応付けた位置情報を記憶し、受信した固有のＩＤがどのアンテナから入力されたかを識別するとともに、そのアンテナに対応する位置情報に基づいて上記固有のＩＤに対応した遊技機の位置を特定し、この特定した遊技機の位置と受信した固有のＩＤとを対応付けて監視対象である遊技機の固有のＩＤとしてＩＤ記憶部に記憶させる機能を備えた請求項１に記載のシステム。
【請求項３】
複数のアンテナを信号受信手段に接続し、ＩＤ記憶手段は、遊技機の位置と監視対象遊技機の固有のＩＤとの対応データを記憶し、監視手段は、アンテナごとに受信可能な遊技機の位置を対応付けた位置情報を記憶し、受信した固有のＩＤがどのアンテナから入力されたのかを識別するとともに、そのアンテナに対応する位置情報に基づいて、上記固有のＩＤに対応した遊技機の位置を特定し、この特定した遊技機の位置とＩＤ記憶手段が記憶している特定した遊技機の位置に対応する固有のＩＤとが一致するか否かを判定する機能を備えた請求項１または２に記載の遊技機の監視システム。
【請求項４】
遊技機の設置位置に対応した複数の固有ＩＤを受信可能な、第１のアンテナと、この第１のアンテナが受信する固有ＩＤのそれぞれに個別に対応した他のアンテナとを備え、監視手段は、第１のアンテナから受信した固有ＩＤと他のアンテナから受信した固有ＩＤとに基づいて、個々の固有ＩＤに対応する遊技機の位置を特定する機能を備えた請求項２または３に記載の遊技機の監視システム。
【請求項５】
ＩＤ発信手段は、遊技機に貼付され、かつ、遊技機から剥がされたとき、ＩＤ発信機能が損なわれるかあるいは正規のＩＤ以外の信号を発信する機能を有する請求項１〜４のいずれか１に記載の遊技機の監視システム。
【請求項６】
パチンコ台などの遊技機に対応した信号発信手段から発信される信号を受信するアンテナと、このアンテナを介して上記信号を受信する信号受信手段と、信号の異常基準を特定するしきい値を記憶する信号記憶手段と、上記信号受信手段が受信した信号が上記信号記憶手段が記憶しているしきい値を超えたか否かを監視する監視手段とを備え、上記アンテナは監視対象の遊技機に対応させて設置した遊技機の監視システム。
【請求項７】
上記しきい値は、信号の電波強度を基準に設定した請求項６に記載の遊技機の監視システム。
【請求項８】
上記しきい値は、信号の電波強度および周波数を基準に設定した請求項６に記載の遊技機の監視システム。
【請求項９】
複数のアンテナを信号受信手段に接続し、監視手段は、アンテナごとに受信可能な遊技機の位置を対応付けた位置情報を記憶し、受信した信号がどのアンテナから入力されたかを識別するとともに、そのアンテナに対応する位置情報に基づいて上記信号に対応した遊技機の位置を特定する機能を備えた請求項６〜８に記載のシステム。
【請求項１０】
遊技機の設置位置に対応した信号発信手段から発信される信号を受信可能な、第１のアンテナと、この第１のアンテナが受信する信号のそれぞれに個別に対応した他のアンテナとを備え、監視手段は、第１のアンテナから受信した信号と他のアンテナから受信した信号とに基づいて、個々の信号に対応する遊技機の位置を特定する機能を備えた請求項６〜９のいずれか１に記載の遊技機の監視システム。
【請求項１１】
上記アンテナが、漏洩ケーブルアンテナである請求項１〜１０のいずれか１に記載の遊技機の監視システム。
【請求項１２】
１本のアンテナに、１または複数の補助伝導ケーブルアンテナを接続し、これら補助伝導ケーブルアンテナを、各遊技機に対応させて設置した請求項１〜１１のいずれか１に記載の遊技機の監視システム。
【発明の詳細な説明】
【技術分野】
【０００１】
この発明は、パチンコ台などの遊技機や、その制御基板が、不正に交換させることがないように監視するための遊技機の監視システムに関する。
【背景技術】
【０００２】
不当な利益を得ようとする者が、閉店後などに遊技場に入り込んで、遊技機を制御するプログラムを搭載した遊技制御基板を、不正に交換することがある。
このように、制御基板が不正に交換されたことを検出するため、制御基板に、ＩＤを記憶し、それを発信する機能を有するＩＣチップなどを取り付け、このＩＣチップから発信される正規のＩＤを読み取ることによって、不正な交換がなされていないことを確認しようとするシステムが考えられている。
【０００３】
例えば、各制御基板にＩＤを発信するＩＣチップを取り付けるとともに、発信されたＩＤを非接触で読み取るための読み取り装置を遊技機ごとに設け、この読み取り装置が読み取ったＩＤを管理装置に送信する。管理装置では、予め、正規の制御基板に対応させたＩＤを記憶し、上記読み取り装置から送信されたＩＤが、それと異なる場合には、制御基板が不正に交換されたことを検出できるようにしている（特許文献１参照）。
また、遊技島ごとにガイドレールを設け、このガイドレール上に１台の読み取り装置を移動させて、島内の複数の遊技機に対する不正を１台の装置で監視するものもある（特許文献２参照）。
また、遊技機の制御基板に対して、外部から信号を入力して、遊技者に有利な動作をするように、制御基板を狂わせるという不正が行なわれることがあった。このような不正を検出するため、上記外部からの信号を検出する際にも、上記ＩＤの読み取り装置と同様の信号読み取り装置を用いた監視システムを利用することができる。
【特許文献１】特開２０００−２８８２１８号公報
【特許文献２】特開２０００−２０２１３６号公報
【発明の開示】
【発明が解決しようとする課題】
【０００４】
上記のようなシステムでは、読み取り装置や不正検出装置が読み取ったＩＤなどの信号を管理装置へ送信しなければならないので、各読み取り装置や不正検出装置と管理装置間の配線が必要である。特に、不正検出装置を島内で移動させるシステムでは、ガイドレールなどの設備も必要である。
つまり、上記のようなシステムは、配線などの大がかりな設備が必要であり、どのような遊技場においても、簡単に採用できるものではなかった。
【０００５】
この発明の目的は、設備コストを低く抑えて、遊技制御基板などの不正な交換や、制御基板に対する不正操作のための信号の発信を検出可能にする遊技機の監視システムを提供することである。
【課題を解決するための手段】
【０００６】
第１の発明は、パチンコ台などの複数の遊技機に個別に設けたＩＤ発信手段から固有のＩＤを受信するアンテナと、このアンテナを介して上記固有のＩＤを受信する信号受信手段と、監視対象である各遊技機に対応させた固有のＩＤを記憶するＩＤ記憶手段と、このＩＤ記憶手段が記憶している個々のＩＤを受信したか否かを監視する監視手段とを備え、上記アンテナは監視対象の遊技機に対応させて設置した点に特徴を有する。
【０００７】
第２の発明は、第１の発明を前提とし、複数のアンテナを信号受信手段に接続し、監視手段は、アンテナごとに受信可能な遊技機の位置を対応付けた位置情報を記憶し、受信した固有のＩＤがどのアンテナから入力されたかを識別するとともに、そのアンテナに対応する位置情報に基づいて上記固有のＩＤに対応した遊技機の位置を特定し、この特定した遊技機の位置と受信した固有のＩＤとを対応付けて監視対象である遊技機の固有のＩＤとしてＩＤ記憶部に記憶させる点に特徴を有する。
【０００８】
第３の発明は、第１または、第２の発明を前提とし、複数のアンテナを信号受信手段に接続し、ＩＤ記憶手段は、遊技機の位置と監視対象遊技機の固有のＩＤとの対応データを記憶し、監視手段は、アンテナごとに受信可能な遊技機の位置を対応付けた位置情報を記憶し、受信した固有のＩＤがどのアンテナから入力されたのかを識別するとともに、そのアンテナに対応する位置情報に基づいて、上記固有のＩＤに対応した遊技機の位置を特定し、この特定した遊技機の位置とＩＤ記憶手段が記憶している特定した遊技機の位置に対応する固有のＩＤとが一致するか否かを判定する機能を備えた点に特徴を有する。
【０００９】
第４の発明は、上記第２または第３の発明を前提とし、遊技機の設置位置に対応した複数の固有ＩＤを受信可能な、第１のアンテナと、この第１のアンテナが受信する固有ＩＤのそれぞれに個別に対応した他のアンテナとを備え、監視手段は、第１のアンテナから受信した固有ＩＤと他のアンテナから受信した固有ＩＤとに基づいて、個々の固有ＩＤに対応する遊技機の位置を特定する機能を備えた点に特徴を有する。
【００１０】
第５の発明は、上記第１〜第４の発明を前提とし、ＩＤ発信手段は、遊技機に貼付され、かつ、遊技機から剥がされたとき、ＩＤ発信機能が損なわれるかあるいは正規のＩＤ以外の信号を発信する機能を有する点に特徴を有する。
【００１１】
第６の発明は、パチンコ台などの遊技機に対応した信号発信手段から発信される信号を受信するアンテナと、このアンテナを介して上記信号を受信する信号受信手段と、信号の異常基準を特定するしきい値を記憶する信号記憶手段と、上記信号受信手段が受信した信号が上記信号記憶手段が記憶しているしきい値を超えたか否かを監視する監視手段とを備え、上記アンテナは監視対象の遊技機に対応させて設置した点に特徴を有する。
【００１２】
第７の発明は、上記第６の発明を前提とし、上記しきい値は、信号の電波強度を基準に設定した点に特徴を有する。
第８の発明は、上記第６の発明を前提とし、上記しきい値は、信号の電波強度および周波数を基準に設定した点に特徴を有する。
【００１３】
第９の発明は、上記第６〜第８の発明を前提とし、複数のアンテナを信号受信手段に接続し、監視手段は、アンテナごとに受信可能な遊技機の位置を対応付けた位置情報を記憶し、受信した信号がどのアンテナから入力されたかを識別するとともに、そのアンテナに対応する位置情報に基づいて上記信号に対応した遊技機の位置を特定する機能を備えた点に特徴を有する。
【００１４】
第１０の発明は、上記第６〜第９の発明を前提とし、遊技機の設置位置に対応した信号発信手段から発信される信号を受信可能な、第１のアンテナと、この第１のアンテナが受信する信号のそれぞれに個別に対応した他のアンテナとを備え、監視手段は、第１のアンテナから受信した信号と他のアンテナから受信した信号とに基づいて、個々の信号に対応する遊技機の位置を特定する点に特徴を有する。
【００１５】
第１１の発明は、上記１〜弟１０の発明を前提とし、上記アンテナが、漏洩ケーブルアンテナである点に特徴を有する。
なお、上記漏洩ケーブルアンテナとは、ケーブル状のアンテナ線に導体の外皮を被覆した同軸ケーブルにおいて、外皮導体部に一様に細かな穴を開けて、伝導する途中で電波信号が漏洩するとともに、外部電磁波を受信できる仕組みにしたアンテナである。このような漏洩ケーブルアンテナが敷設された周囲では、一様な電波強度での送受信が可能である。
【００１６】
第１２の発明は、上記第１〜第１１の発明を前提とし、１本のアンテナに、１または複数の補助伝導ケーブルアンテナを接続し、これら補助伝導ケーブルアンテナを、各遊技機に対応させて設置した点に特徴を有する。
【発明の効果】
【００１７】
第１〜第５の発明は、遊技機に対応させたアンテナを設け、そのアンテナを介して、信号受信手段に、監視対象である遊技機に対応した信号を入力するようにしているので、信号受信手段を、遊技機に設けたＩＤ発信手段や、信号発信手段から離して設置することができる。このように、遊技機から信号受信手段を離して設置することができるので、例えば、１本のアンテナで、複数のＩＤを受信したり、複数のアンテナを一つの受信手段に接続したりできる。
いずれの場合にも、受信手段の設置台数を少なくすることができて、設備コストを低く抑えることができる。
また、一つの受信手段を、個々のＩＤ発信手段や信号発信手段に対応させて移動させる必要もないので、信号受信手段を移動させるための設備が不要である。
【００１８】
また、第２〜第５の発明によれば、監視対象の遊技機の、個々の位置を特定し、位置までも監視することができる。
第４の発明によれば、複数のＩＤを受信する１本の、第１のアンテナと、他のアンテナとの組み合わせによって、信号受信手段が受信したＩＤに対応する位置を特定できる。
第５の発明によれば、遊技機に貼付したＩＤ発信手段が剥がされたとき、そのことがわかるので、ＩＤ発信手段の貼り替えなども監視することができる。
【００１９】
また、第６〜第８の発明によれば、遊技機に対して、しきい値を超える異常信号が発信されていた場合、それを検出することができる。例えば、遊技機の制御基板を狂わせるような不正信号が発信されていた場合、その信号を検出することができる。
第９、第１０の発明によれば、異常信号を受信したアンテナから、その信号が発信されている位置を特定することができる。
特に、第１０の発明によれば、複数の信号を受信する１本の、第１のアンテナと、他のアンテナとの組み合わせによって、信号受信手段が受信した異常信号に対応する位置を特定できる。例えば、異常信号によって不正な制御をされている遊技機を特定することができる。
【００２０】
第１１の発明によれば、１本の漏洩ケーブルアンテナで、その周囲に設置された複数のＩＤ発信手段や、信号発信手段から、固有のＩＤや、その他の信号を受信することができる。つまり、１本のアンテナの受信範囲を広くすることができるため、遊技機に対応させて設置するアンテナの数を少なくすることができる。
第１２の発明によれば、１本のケーブルアンテナから離れた箇所にあるＩＤ発信手段や、信号発信手段からも、補助伝導ケーブルアンテナを介して固有のＩＤや、他の信号を受信できるようになる。従って、監視対象となる遊技機の設置場所の自由度が高くなる。
【発明を実施するための最良の形態】
【００２１】
図１〜図４に、この発明の第１実施形態を示す。
図１に、一つの遊技場に設けた、このシステムの全体構成図を示している。パチンコ店などの遊技場では、複数台の遊技機１を並べて一つの島を形成している。例えば、図１に示すように、遊技機１を一列に並べた列Ｌ１と列Ｌ２とを、その遊技台の背面を対向させて設置し、島Ｓ１を形成し、列Ｌ３と列Ｌ４とによって島Ｓ２を形成している。図１では、２つの島Ｓ１およびＳ２のみを表しているが、遊技場内には、もっと多くの島が設けられていることが多い。
【００２２】
そして、上記各島Ｓ１，Ｓ２に対応するリーダーＲ１，Ｒ１を設けている。これらのリーダーＲ１，Ｒ１には、各島Ｓ１，Ｓ２に沿って配置された漏洩ケーブルアンテナ２を接続するとともに、全てのリーダーＲ１，Ｒ１を管理コンピュータＣに接続している。
なお、上記各漏洩ケーブルアンテナ２は、斜線で示した通信エリアＥ１を、無線通信可能なエリアとするアンテナである。
【００２３】
一方、図２に示すように、各遊技機１には、後で詳細に説明するＩＣシール４ａ，４ｂ，４ｃ，・・・を貼り付けている。遊技機におけるＩＣシールの貼付箇所は、どこでもかまわないが、簡単に取り外すことができないような箇所が好ましい。または、遊技機の制御基板などを交換する際には、このシールを剥がさなければならないような箇所がよい。そして、図２に示すように、これらのＩＣシール４ａ，４ｂ，４ｃ，・・・を、上記漏洩ケーブルアンテナ２の通信エリアＥ１内に設け、漏洩ケーブルアンテナ２との間で通信可能にしている。
【００２４】
但し、各遊技機の制御基板等から固有のＩＤが発信される場合は、ＩＣシールを使用せずに、制御基板等から発信されるＩＤをケーブルアンテナが受信するようにしてもよい。この場合には、上記制御基板が、この発明のＩＤ発信手段を兼ねることになる。
なお、図２では、各遊技機に符号１ａ，１ｂ，１ｃ，１ｄをつけているが、これらは、上記遊技機１と同じものであり、個々の遊技機を区別する必要があるときには、「１」にアルファベットを付加するが、区別する必要がないときには、符号１で説明する。
【００２５】
図３には、上記ＩＣシール４ａを表している。他のＩＣシールも、これと同じなので、ここでは、ＩＣシール４ａについてのみ説明する。ＩＣシール４ａはＩＣチップを組み込んだシート状の部品で、図３に示すように、固有のＩＤを記憶した自ＩＤ記憶部５と、データ処理部６と、送受信部７とを備えている。また、上記ＩＣシール４ａ表面には接着面を有し、この接着面を遊技機１に貼り付けるようにする。
上記自ＩＤ記憶部５が記憶している固有のＩＤは、そのＩＣシール４ａの固有のＩＤであるが、ＩＣシール４ａを貼付した遊技機１に対応付けられるので、遊技機１を特定するための固有のＩＤと考えてもよい。
【００２６】
また、送受信部７は、上記漏洩ケーブルアンテナ２との間で無線通信を行う機能を備えた回路であり、上記データ処理部６は、必要なタイミングで、上記自ＩＤ記憶部が記憶している固有のＩＤを送信部７から上記ケーブルアンテナへ発信する機能や、漏洩ケーブルアンテナ２を介してリーダーＲ１から送信された信号を処理したりする機能を備えている。
すなわち、各遊技機１に貼付したＩＣシール４ａ，４ｂ，４ｃ，・・・が、ＩＤ発信手段である。
【００２７】
さらに、管理コンピュータＣと、各島Ｓ１，Ｓ２に対応させて設けたリーダーＲ１とは、図４に示す構成である。
上記リーダーＲ１は、漏洩ケーブルアンテナ２を介して上記ＩＣシールから発信される固有のＩＤを受信するための、この発明の信号受信手段であり、漏洩ケーブルアンテナ２を接続した送受信部８と、送受信部８から固有のＩＤを受信したり、管理コンピュータＣとの間でデータのやりとりを行ったりするデータ処理部９とを備えている。
【００２８】
一方、管理コンピュータＣは、各リーダーＲ１のデータ処理部９に接続したデータ処理部１０と、データ記憶部１１と出力部１２とを備えている。
上記データ処理部１０は、各リーダーＲ１から入力される固有のＩＤを受信したり、受信した固有のＩＤを判定したりして、遊技機１を監視する機能を備え、データ記憶部１１は、データ処理部１０の処理に必要なデータなどを記憶する機能を備えている。例えば、上記データ記憶部１１には、この管理コンピュータＣが監視対象とする遊技機１に対応した固有のＩＤ、すなわち、遊技機１に貼付されたＩＣシール４ａ，４ｂ，４ｃ，・・・の固有のＩＤを記憶している。
【００２９】
また、出力部１２は、データ処理部１０の監視結果を出力する機能を備えている。例えば、データ処理部１０が、所定のＩＤを受信できなくて、監視対象の遊技機１の異常と判定した場合に、その結果をディスプレイに表示したり、警告ランプを点灯させたり、警報装置に警報を発するように制御信号を出力したりする機能を有する。
【００３０】
次に、このシステムにおいて、遊技場に設置された遊技機１を監視する手順を説明する。ここでは、図２に示す島Ｓ１の遊技機１ａ，１ｂ，１ｃ，１ｄを監視する例を説明する。
図２に示すように、上記遊技機１ａ，１ｂ，１ｃ，１ｄに貼付された各ＩＣシール４ａ，４ｂ，４ｃ，４ｄは、全て、上記漏洩ケーブルアンテナ２の通信エリアＥ１内に設置されている。つまり、リーダーＲ１は、各ＩＣシールから発信される固有のＩＤを、上記漏洩ケーブルアンテナ２を介して受信することができる配置になっている。
【００３１】
リーダーＲ１が、上記固有のＩＤを受信する手順には、いくつかの方法があるが、例えば、リーダーＲ１側から問い合わせ信号を発信し、ＩＣシール側がそれに応答して、自ＩＤ記憶部５が記憶している固有のＩＤを発信する方法がある。上記問い合わせ信号は、「記憶している固有のＩＤは何か？」という趣旨の信号であり、各ＩＣシールのデータ処理部６は、上記問い合わせ信号を受信したことを認識し、固有のＩＤを発信させる。この場合には、各ＩＣシール４ａ，４ｂ，４ｃ，・・・のデータ処理部６には、問い合わせ信号を受信してから固有のＩＤを発信するまでの遅延時間を設定しておき、その遅延時間に基づいたタイミングで固有のＩＤを発信するようにする。各データ処理部６には、問い合わせ信号の受信時を基準にしたＩＤの発信タイミングが異なるように、遅延時間を設定しておくものとする。
【００３２】
あるいは、予め遅延時間を設定しておくのではなく、各データ処理部６は、問い合わせ信号を受信したら、自身でランダムに遅延時間を演算して、その演算結果に基づいてＩＤの発信タイミングを決めるようにしてもよい。
これによって、リーダーＲ１は、漏洩ケーブルアンテナ２を介して複数の固有のＩＤを、タイミングをずらして受信することができる。つまり、複数の固有のＩＤ信号を同時に受信してしまって、何を受信したのかわからなくなってしまうことを防止できる。
【００３３】
また、リーダーＲ１側からの問い合わせ信号を、特定の固有のＩＤを、一つずつ確認する内容とすることもできる。例えば、「ＩＤａは応答するように」というような信号で、これを受信したＩＣシールのデータ処理部６は、自身に接続された自ＩＤ記憶部５が記憶している固有のＩＤと問い合わせ信号のＩＤａとを対比して、一致した場合には、漏洩ケーブルアンテナ２に対して自身の固有のＩＤを発信するようにする。このようにすれば、リーダーＲ１が問い合わせ信号を出力するたびに、対応する固有のＩＤのみを受信することができるので、複数の信号を同時に受信して、混乱してしまうことがない。
【００３４】
なお、上記問い合わせ信号で、問い合わせるべき固有のＩＤは、上記管理コンピュータＣのデータ記憶部１１が、監視対象の固有ＩＤとして記憶しているものである。つまり、この実施例では、上記データ記憶部１１が、この発明のＩＤ記憶部の機能を備えている。なお、管理コンピュータＣに、複数のリーダーＲ１を接続している場合には、上記データ記憶部１１は、監視対象の固有のＩＤを、受信可能なリーダーＲ１に対応付けて記憶し、個々のリーダーＲ１へ、問い合わせに必要なデータを送信するようにする。
ただし、上記監視対象のＩＤは、管理コンピュータＣではなく、個々のリーダーＲ１に記憶させておくようにしてもかまわないし、ＩＤ記憶部を、管理コンピュータＣやリーダーＲ１とは別に設けてもかまわない。
【００３５】
上記のようにして、リーダーＲ１が、固有のＩＤを受信したら、それを管理コンピュータＣへ送信する。管理コンピュータＣでは、受信した固有のＩＤを、データ処理部１０が、データ記憶部１１が監視対象に対応した固有のＩＤとして記憶しているＩＤと対比し、監視対象の固有のＩＤを全て受信したかどうかを判断する。例えば、データ記憶部１１が記憶している監視対象のＩＤを全て受信した場合は、そのＩＤに対応する遊技機全てが、通信エリアＥ１内に設置されているということで、正常とみなすことができる。
【００３６】
ところが、いずれかの固有のＩＤが受信されなかった場合には、その受信されなかったＩＤに対応する遊技機１またはそれに貼付されたＩＣシールが、初期に設置された場所から、対応するリーダーＲ１の通信エリアＥ１外へ移動したことを意味する。すなわち、遊技機１が不正に交換されたり、シールが剥がされて持ちされたりしたことがわかる。
この第１実施形態では、管理コンピュータＣのデータ処理部１０とデータ記憶部１１とによって、この発明の監視手段を構成している。
【００３７】
以上のように、漏洩ケーブルアンテナ２が、各遊技機に貼付したＩＣシールから、複数の固有のＩＤを読み取るようにしたので、信号受信手段であるリーダーＲ１を個々の遊技機１に対応付けて設置する必要がない。そのため、特許文献１のシステムと比べて、リーダーＲ１の数を減らすことができる。
また、特許文献２のように、一台のリーダーを移動させるガイドレールのような設備も不要である。従って、設備コストを低く抑えることができる。
【００３８】
図５、図６に示す第２実施形態は、この発明の信号受信手段である一つのリーダーＲ２に、複数の漏洩ケーブルアンテナ２，３を接続した点が上記第１実施形態と異なる。そして、上記第１実施形態と同様の構成要素には、同じ符号をつけているが、上記漏洩ケーブルアンテナ３は、漏洩ケーブルアンテナ２とまったく同じ機能を備えている。また、図５では、省略しているが、上記リーダーＲ２は、図１および図４に示す管理コンピュータＣに接続している。
そして、管理コンピュータＣのデータ処理部１０は、各漏洩ケーブルアンテナ２，３を介して入力された固有のＩＤを、データ記憶部１１が記憶している監視対象としての固有のＩＤと対比して、遊技機１を監視する手順は、上記第１実施形態と同じである。つまり、この第２実施形態でも、管理コンピュータＣのデータ処理部１０とデータ記憶部１１とによって、この発明の監視手段を構成している。
【００３９】
従って、ここでは、管理コンピュータＣの機能の詳細な説明は省略し、第１実施形態と異なる点を中心に説明する。
第２実施形態のシステムでは、図５に示すように、リーダーＲ２には、２本のアンテナ２，３が接続され、それぞれの通信可能エリアを、斜線で示す通信エリアＥ１、Ｅ２とする。そして、通信エリアＥ１内には、ＩＣシール４ａ，４ｂ，４ｃが含まれ、通信エリアＥ２内には、ＩＣシール４ｄ，４ｅ，４ｆが含まれている。
すなわち、一方の漏洩ケーブルアンテナ２は、列Ｌ１を構成する遊技機１ａ，１ｂ，１ｃのＩＣシール４ａ，４ｂ，４ｃから発信される固有ＩＤを受信し、他方の漏洩ケーブルアンテナ３は、列Ｌ２を構成する遊技機１ｄ，１ｅ，１ｆのＩＣシール４ｄ，４ｅ，４ｆから発信される固有ＩＤを受信する。
【００４０】
また、リーダーＲ２は、図６のように、この発明のアンテナ切換手段であるアンテナ切換回路１３を備え、このアンテナ切換回路１３を介して漏洩ケーブルアンテナ２，３を送受信部８に接続している。このアンテナ切換回路１３が、これに接続している漏洩ケーブルアンテナ２，３を切換えて、一方ずつ作動させるようにしている。そして、リーダーＲ２のデータ処理部９は、漏洩ケーブルアンテナ２または３から受信した固有のＩＤを、どのアンテナから受信したのかというデータとともに、管理コンピュータＣのデータ処理部１０へ送信する機能を備えている。
なお、個々のアンテナ２，３において、それぞれ受信する複数の固有ＩＤを、同じタイミングでリーダーＲ２が受信しないようにするために、ＩＣシール４ａ，４ｂ，４ｃ，・・・からの、ＩＤの発信タイミングをずらすようにする方法は上記第１実施形態と同じである。
【００４１】
また、この第２実施形態では、アンテナ切換回路１３によって、２本の漏洩ケーブルアンテナ２，３の作動を切換えるようにしているが、上記アンテナ切換回路１３の代わりに、２本のアンテナ２，３から受信した固有のＩＤを、どのアンテナを介して受信したものか区別する回路を備えていてもよい。
図５では、一つの島Ｓ１の遊技機１を列Ｌ１，Ｌ２ごとに別々の漏洩ケーブルアンテナ２，３を用いて監視しているため、第１実施形態のように、１本の漏洩ケーブルアンテナ２の通信エリアＥ１が広い場合と比べて、監視対象の遊技機１移動を狭い範囲で監視できる。
さらに、一つのリーダーＲ２には、２本に限らず、もっと多くのケーブルアンテナを接続するようにしてもよい。例えば、他の島に設けたケーブルアンテナも接続することができるので、そのようにすれば、リーダーＲ２を島ごとに設置する必要がなくなって、リーダーの設置個数を、さらに少なくすることができる。その結果、設備コストをさらに低減することができるとともに、リーダーＲ２の設置スペースも省略できる。
【００４２】
図７〜図９に示す第３実施形態は、管理コンピュータＣが、遊技機１の位置を特定できるシステムの例である。
ここで用いるこの発明の信号受信手段であるリーダーＲ２は、図６に示すリーダーＲ２と同様に、アンテナ切換回路１３を介して、送受信部８に、２本の漏洩ケーブルアンテナ２，３を接続するとともに、データ処理部９は、図４に示す第１実施形態と同様に、管理コンピュータＣに接続している。
ただし、この第３実施形態では、２本の漏洩ケーブルアンテナ２，３を、近づけて設置している。つまり、漏洩ケーブルアンテナ２の通信エリアＥ１と、漏洩ケーブルアンテナ３の通信エリアＥ２とがほぼ重なるようにしている。
【００４３】
また、漏洩ケーブルアンテナ２には、位置（Ｂ）に対応する部分に信号電波を遮蔽するための遮蔽部材１４を取り付け、漏洩ケーブルアンテナ３には、位置（Ａ）に対応する部分に遮蔽部材１５を取り付けている。これらの遮蔽部材１４，１５を取り付けた部分が、この発明の遮蔽位置を構成している。そのため、漏洩ケーブルアンテナ２，３の周囲であって、位置（Ａ）に対応する部分は通信エリアＥ１であり、位置（Ｂ）に対応する部分は通信エリアＥ２であり、位置（Ｃ）に対応する部分は、通信エリアＥ１とＥ２とが重なっている。
なお、図７では、遊技機１は省略し、固有のＩＤを発信するＩＣシール４ａ，４ｂ，４ｃのみを表しているが、これらが、それぞれ対応する遊技機１に貼付されていることは、他の実施形態と同じである。
【００４４】
以下に、このシステムおいて、管理コンピュータＣが、受信した固有のＩＤがどの位置から発信されたのか、すなわち、その固有のＩＤに対応する遊技機の位置を特定する手順を説明する。なお、ここで、各ＩＣシール４ａ，４ｂ，４ｃが記憶している固有のＩＤは、それぞれＩＤａ，ＩＤｂ，ＩＤｃとする。
【００４５】
まず、リーダーＲ２が、アンテナ切換回路１３によって漏洩ケーブルアンテナ２を作動させると、リーダーＲ２は、漏洩ケーブルアンテナ２の通信エリアＥ１内に位置するＩＣシール４ａ，４ｃからそれぞれ固有のＩＤを受信する。
次に、上記アンテナ切換回路１３が、アンテナを切換えて、漏洩ケーブルアンテナ３を作動させると、リーダーＲ２は、通信エリアＥ２内のＩＣシール４ｂ，４ｃから固有のＩＤを受信する。
そして、リーダーＲ２は、受信した固有のＩＤをそれぞれ受信したアンテナを特定する信号とともに、管理コンピュータＣのデータ処理部１０へ送信する。
なお、リーダーＲ２が、各漏洩ケーブルアンテナ２，３を介して受信する固有のＩＤの受信タイミングは、上記第１実施形態と同じ方法を用いることができる。
【００４６】
一方、管理コンピュータＣのデータ記憶部１１は、ケーブルアンテナごとの検出可能な遊技機の位置を図８に示すテーブルとして記憶している。このテーブルは、遊技機１の位置に対応したＩＣシールから固有のＩＤを受信可能な場合には、対応する欄に丸印「○」を表し、受信不可能な場合には、対応する欄にバツ印「×」を表している。つまり、漏洩ケーブルアンテナ２が受信可能な位置は、位置（Ａ）と位置（Ｃ）であり、漏洩ケーブルアンテナ３が受信可能な位置は位置（Ｂ）と位置（Ｃ）である。言い換えれば、漏洩ケーブルアンテナ２のみで受信したＩＤは、位置（Ａ）に対応する固有のＩＤであり、漏洩ケーブルアンテナ３のみで受信したＩＤは、位置（Ｂ）に対応する固有のＩＤである。また、漏洩ケーブルアンテナ２と漏洩ケーブルアンテナ３の両方で受信したＩＤは、位置（Ｃ）に対応する固有のＩＤである。
【００４７】
従って、管理コンピュータＣのデータ記憶部１１が、漏洩ケーブルアンテナ２からＩＤａとＩＤｃとを受信し、漏洩ケーブルアンテナ３からＩＤｂとＩＤｃとを受信した場合には、データ処理部１０は、受信したＩＤとその受信アンテナ特定情報とを、データ記憶部１１が記憶している図８のテーブルとを対比して、それぞれ固有のＩＤａ，ＩＤｂ，ＩＤｃが、図９に示すように、それぞれ、位置（Ａ）、位置（Ｂ）、位置（Ｃ）に対応することを特定することができる。
【００４８】
遊技場に、新たにＩＣシール４ａ，・・・を貼付した遊技機１を設置し、管理コンピュータＣのデータ記憶部１１が、図８のテーブルを記憶していない状態のときに、上記の手順によって、各位置に設置された遊技機１の固有のＩＤを位置に対応付けてデータ記憶部１１に記憶させることができる。すなわち、図９に示すテーブルの固有のＩＤａ，ＩＤｂ，ＩＤｃを、監視対象遊技機に対応する固有のＩＤとして記憶するとともに、各固有のＩＤに位置（Ａ），（Ｂ），（Ｃ）を対応付けてデータ記憶部１１に記憶させることができる。
【００４９】
このように、データ記憶部１１が、監視対象遊技機の固有のＩＤを位置に対応付けて記憶しておけば、その後、各ケーブルアンテナから受信したＩＤと、データ記憶部１１が記憶している固有のＩＤとを対比して、監視対象遊技機の設置時に確認した監視対象の固有のＩＤを全て受信したかどうか、確認することができる。すなわち、監視対象の遊技機１が、初期に設置したときと同じように、各漏洩ケーブルアンテナ２，３の通信エリアＥ１またはＥ２内に位置しているかどうかを確認できる。
また、このシステムでは、監視対象の固有のＩＤを全て受信したかどうかという判断だけでなく、各ＩＤの発信位置を特定できるため、特定した位置から、遊技機１があるべき位置に設置されているかどうかを監視することもできる。
【００５０】
図１０、図１１に示す第４実施形態は、この発明の監視手段である管理コンピュータＣが、遊技機１の位置を特定することができる監視システムであって、上記第３実施形態とは別の方法を用いる例である。
この第４実施形態では、複数のケーブルアンテナを、ｘ軸方向とｙ軸方向とに配置して、ｘ軸とｙ軸との交点の位置ｐ１，ｐ２，ｐ３，ｐ４の近傍に、遊技機１、すなわち、固有のＩＤを発信するＩＣシール４ａ，４ｂ，４ｃ，４ｄを位置させるようにしている。
【００５１】
すなわち、ｘ軸に平行な漏洩ケーブルアンテナｘ１と、ｘ２とをリーダーＲ２を一つのリーダーＲ２に接続し、ｙ軸方向に平衡にした漏洩ケーブルアンテナｙ１とｙ２とを上記とは別のリーダーＲ２に接続している。各リーダーＲ２，Ｒ２は、管理コンピュータＣに受信したＩＤをアンテナ特定情報とともに送信する機能を備えている。上記リーダーＲ２は、図６に示す第２実施形態のリーダーＲ２と同様に、アンテナ切換回路１３を備え、作動させるアンテナを切換えるようにしている。
【００５２】
管理コンピュータＣのデータ記憶部１１は、各ケーブルアンテナが、ＩＤを受信可能な位置を、図１１のテーブルとして記憶している。なお、図１１のテーブルにおいて、受信可能を丸印「○」とし、受信不可能をバツ印「×」で表している。
例えば、漏洩ケーブルアンテナｘ１とｙ１とで受信したＩＤは、これらの漏洩ケーブルアンテナの交点である位置ｐ３に対応し、漏洩ケーブルアンテナｘ２とｙ１とで受信したＩＤは、位置ｐ１に対応する。
【００５３】
そこで、管理コンピュータＣに、各リーダーＲ２，Ｒ２から、受信したＩＤと、それを受信したアンテナのアンテナ特定情報とが送信されたら、データ処理部１０は、そのデータを図１１のテーブルと対比して、各ＩＤの発信位置を特定するとともに、監視対象の遊技機に対応する固有のＩＤを全て受信したかどうかを判断する。
これによって、監視対象の遊技機が、所定の位置にあるかどうかを監視することができる。
【００５４】
なお、図１０では、ｘ軸方向、ｙ軸方向の漏洩ケーブルアンテナを２本ずつ示しているが、アンテナ数は２本に限らず、その本数が多くなればなるほど、交点が多くなり、特定できる位置が多くなる。また、一つのリーダーには、３本以上のケーブルアンテナを接続してもかまわないし、ｘ軸方向の漏洩ケーブルアンテナと、ｙ軸方向の漏洩ケーブルアンテナとを同じリーダーＲ２に接続してもかまわない。
いずれにしても、リーダーＲ２では、アンテナ切換回路１３が、接続された漏洩ケーブルアンテナを１本ずつ切換えて作動させるようにする。
ただし、リーダーＲ２内にＩＤを受信した漏洩ケーブルアンテナがどれなのかを判定できる回路を備えていれば、上記アンテナ切換回路１３は必要ない。
【００５５】
図１２、図１３に示す第５実施形態は、複数のＩＤを受信する１本のケーブルアンテナと、個々のＩＤを受信する他のケーブルアンテナとによって、固有のＩＤに対応する位置を特定できるシステムである。
図１２に示す第５実施形態のシステムは、設置位置（Ａ），（Ｂ），（Ｃ），（Ｄ）に設置した監視対象の遊技機に添付したＩＣシール４ａ，４ｂ，４ｃ，４ｄと、これら全てのＩＣシールから固有のＩＤを受信可能な漏洩ケーブルアンテナｘ１と、ＩＣシール４ａの固有のＩＤを受信可能な漏洩ケーブルアンテナｘ２、ＩＣシール４ｂの固有のＩＤを受信可能な漏洩ケーブルアンテナｘ３、ＩＣシール４ｃの固有のＩＤをそれぞれ受信可能な漏洩ケーブルアンテナｘ４とを備えている。
【００５６】
上記４本の漏洩ケーブルアンテナは、図示していないが、図６に示す第２実施形態と同様のリーダーＲ２に接続され、１本ずつ切換えて作動するようにしている。そして、このリーダーＲ２は、図４に示す、この発明の監視手段である管理コンピュータＣに接続している。
また、管理コンピュータＣのデータ記憶部１１は、図１３に示すテーブルを記憶している。
すなわち、このテーブルは、漏洩ケーブルアンテナと、受信可能なＩＤとおよびその位置とを対応付けたテーブルである。例えば、漏洩ケーブルアンテナｘ１とｘ２とで受信したＩＤは、位置（Ａ）に対応し、漏洩ケーブルアンテナｘ１とｘ３とで受信したＩＤは、位置（Ｂ）に対応する。
【００５７】
管理コンピュータＣのデータ処理部１０は、受信したＩＤを、データ記憶部１１が記憶している図１３のテーブルと対比すれば、上記ＩＤを発信した位置が特定できるので、対応する遊技機の位置が特定できる。
また、データ記憶部１１は、上記各位置に、そこにあるべき遊技機、すなわち監視対象の遊技機に対応する固有のＩＤを対応付けたテーブルを記憶していれば、そのテーブルに基づいて、遊技機の移動を監視することができる。
【００５８】
図１４に示す第６実施形態は、図４に示す第１実施形態と同様のリーダーＲ１に、アンテナ切換回路１３を外付けし、このアンテナ切換回路１３に、複数の漏洩ケーブルアンテナ２，２，２を接続している。このアンテナ切換回路１３が、漏洩ケーブルアンテナ２を切換えて、１本ずつ作動させるようにする。そして、各漏洩ケーブルアンテナ２，２，２を、遊技機に貼付したＩＣシール４ａ，４ｂ，４ｃの近傍まで延ばして配置している。つまり、１本の漏洩ケーブルアンテナ２が、一つのＩＣシールの固有のＩＤを受信するようにしている。
【００５９】
この第６実施形態では、１本の漏洩ケーブルアンテナ２が一つの固有のＩＤしか受信しないので、管理コンピュータＣでは、データ記憶部１１が、漏洩ケーブルアンテナ２とその漏洩ケーブルアンテナ２が受信可能なＩＣシールを貼付した遊技機の位置とを対応付けて記憶していれば、データ処理部１０は、ＩＤを受信したとき、そのＩＤを受信した漏洩ケーブルアンテナ２を特定できれば、上記データ記憶部１１が記憶しているデータに基づいて、受信した固有のＩＤに対応する位置を特定できる。
【００６０】
なお、この第６実施形態では、アンテナ切換回路１３をリーダーＲ１とは別に設けたが、アンテナ切換回路１３をリーダーＲ１内に設けてもかまわないし、上記第２〜第５実施形態のリーダーＲ２のアンテナ切換回路１３を外部に設けてもかまわない。また、いずれの実施形態でも、ＩＤを受信したアンテナを特定する機能を備えていれば、アンテナ切換回路１３は不要になる。
【００６１】
上記第６実施形態では、各遊技機に貼付したＩＣシール４ａ，４ｂ，４ｃを貼付した遊技機に対応させて漏洩ケーブルアンテナ２，２，２を設置しているが、上記漏洩ケーブルアンテナ２，２，２に代えて、通常のアンテナを用いてもよい。例えば、ダイポールアンテナや、パラボラアンテナを、個々のＩＣシール、すなわち信号受信手段に接近させて設ければ、上記第６実施例と同様に、複数のアンテナ切り換え回路１３を介してひとつのリーダーＲ２に接続して用いることができる。
【００６２】
図１５に示す第７実施形態は、１本の漏洩ケーブルアンテナ２に、複数の補助伝導ケーブルアンテナ１６ａ，１６ｂ，１６ｃを接続して用いる例である。各補助伝導ケーブルアンテナ１６ａ，１６ｂ，１６ｃは、上記ケーブルアンテナの外側に絶縁状態で引っ掛けることによって、ケーブルアンテナ２と接続し、その先端を、個々のＩＣシール４ａ，４ｂ，４ｃに近接させている。
このように構成すると、上記補助伝導ケーブルアンテナ１６ａ，１６ｂ，１６ｃの通信エリア内に、ＩＣシール４ａ，４ｂ，４ｃが入るので、ＩＣシール４ａ，４ｂ，４ｃが発信する固有のＩＤを、補助伝導ケーブルアンテナ１６ａ，１６ｂ，１６ｃおよび漏洩ケーブルアンテナ２を介して、リーダーＲ１が受信できるようになる。
【００６３】
上記漏洩ケーブルアンテナ２だけの場合には、この漏洩ケーブルアンテナ２に沿って通信エリアが形成されるが、上記のように補助ケーブルアンテナ１６ａ，１６ｂ，１６ｃを用いれば、上記漏洩ケーブルアンテナ２に沿った通信エリアから離れた場所にも、通信エリアを形成できるので、そこに遊技機を設置することができるようになる。つまり、監視対象である遊技機を漏洩ケーブルアンテナ２に沿わせないで、離して設置することもできるようになる。
また、漏洩ケーブルアンテナ２の代わりに、単にケーブル状あるいは棒状のアンテナを主アンテナとして、これに複数の補助伝導ケーブルアンテナを、Ｔ型分岐タップなどで直接接続し、各補助ケーブルをＩＣシールなどのＩＤ発信手段に近接させてもよい。この場合も、上記第７実施形態と同様の効果を得られる。
【００６４】
さらに、上記第１〜第７実施形態におけるＩＣシール４ａ，４ｂ，・・・を、一旦貼付した遊技機から剥がしとられたとき、そのことを検出して、検出結果を出力する破壊検出型のＩＣシールとすれば、遊技機の移動や制御基板の取り替えなどを、より厳密に監視できるようになる。
上記破壊検出型ＩＣシールとは、貼付された遊技機から剥がす際に、シール本体に曲げなどの力が作用するので、その力で簡単に送受信部の回路が断線するなどして、破壊されて、固有のＩＤを発信できなくなるようにするか、あるいは、自ＩＤ記憶部５が記憶している固有のＩＤ以外のＩＤを発信するようにしたものである。
従って、不正に遊技機を交換して、ＩＣシールを貼りかえるようなことをした場合には、正規の固有のＩＤを管理コンピュータＣが、受信できないので、異常があったことを検出できる。
【００６５】
また、位置を検出できる上記第３〜第６実施形態のシステムにおいて、管理コンピュータＣが、監視対象の遊技機に対応する固有のＩＤを受信しなかった場合、データ処理部１０は、受信できなかったＩＤに対応する遊技機の位置を特定して、その位置に監視カメラを向けるともできる。監視カメラは、その制御部を管理コンピュータＣの出力部１２に接続し、上記データ処理部１０に、正規の固有のＩＤが入力されなかった場合に、その固有のＩＤに対応する位置に、監視カメラを向けるための制御信号を出力部１２から出力させるようにする。このようにすれば、監視カメラのモニタには、固有のＩＤを出力しなかった遊技機の設置箇所が映し出され、異常の原因がわかることもある。
【００６６】
また、上記全ての実施形態において、管理コンピュータＣが、監視対象の遊技機に対応する固有のＩＤとして記憶しているＩＤを受信できなかったときには、そのＩＤと、そのことを検出した時刻とを対応付けてデータ記憶部１１に記憶させるようにすれば、後から、データ記憶部１１のデータを利用して、不正などが行われた時刻を特定したり、原因追及の手がかりにしたりすることもできる。
【００６７】
図１６，図１７に示す第８実施形態は、第６の発明の、遊技機の監視システムによって、遊技機の制御基板の制御を狂わせるために不正に発信されているこの発明の異常信号を検出する実施形態である。
図１６は、遊技場において遊技機１ａ，１ｂ，・・・を配列したひとつの島を示し、図１７には、上記不正信号を受信するための構成を示しているが、この第８実施形態のシステムは、図１５に示す上記第７実施形態と同様の構成である。なお、図１６、図１７において、他の実施形態と同様の構成要素には、同じ符号を用いている。
すなわち、この発明の信号受信手段であるリーダーＲ１に漏洩ケーブルアンテナ２を接続し、この漏洩ケーブルアンテナ２に、複数の補助ケーブルアンテナ１６ａ，１６ｂ，１６ｃを接続している。つまり、信号の読み取り手段の構成は、第７実施形態のＩＤ受信手段の構成と同じである。
【００６８】
また、リーダーＲ１には、図示していないが、図１および図３に示す第１実施例の管理コンピュータＣを接続し、この管理コンピュータＣのデータ処理部１０とデータ記憶部１１とによって、この発明の監視手段を構成している点は、他の実施形態と同じである。
そして、各遊技機１ａ，１ｂ，１ｃには、ＩＣシール４ａ，４ｂ，４ｃが貼付され、上記リーダーＲ１、管理コンピュータＣは、これらのＩＣシールから遊技機のＩＤを受信して遊技機を監視する機能を、上記第７実施例と同様に備えている。
【００６９】
ただし、この第８実施形態のシステムでは、遊技機１に設けたＩＤ発信手段からＩＤを受信することによって、遊技機に対する不正を監視するだけでなく、制御基板に対して外部から発信された信号を検出し、この発明の異常信号である不正信号を検出するようにしている。
上記不正信号は、この信号が制御基板に対して作用すると、制御基板の制御が狂い、遊技者に有利になるような制御が行なわれるようにする信号である。そして、この不正信号は、不正者が設置あるいは携帯した信号発信装置１７から発信される信号であり、図１６では、模式的に矢印１８で示している。
【００７０】
また、上記リーダーＲ１は、補助ケーブルアンテナ１６ａ，１６ｂ，１６ｃおよび漏洩ケーブルアンテナ２を介して、上記不正信号や、その他の信号を受信する機能を備えている。なお、図１６中、破線でエリアＥ３は、上記補助ケーブルアンテナ１６ｂの受信エリアＥ３であり、この受信エリアＥ３は、遊技機１ｂの制御基板に対して信号発信装置１７から発信された信号（矢印１８）を受信可能な位置となるように、補助ケーブルアンテナ１９ｂを設けている。
さらに、上記管理コンピュータＣのデータ記憶部１１は、不正信号の判定基準となる信号強度のしきい値を記憶し、データ処理部１０は、受信した信号をＩＤと区別する機能を備えている。そして、受信した信号が、ＩＤ以外の信号であると判断した場合、その信号の電波強度と、上記しきい値とを対比し、受信した信号の電波強度がしきい値を超えていた場合に、不正信号であると判定する機能を備えている。データ処理部１０は、受信した信号を不正信号であると判定した場合には、その判定結果を出力部１２を介して警報装置や、ランプなどへ出力する機能を備えている。
【００７１】
なお、上記しきい値は信号の電波強度を基準とするものであるが、このように、電波強度をしきい値としたのは、制御基板に対して、何らかの作用を及ぼすためには、ある程度の電波強度が必要であると考えられるからである。ただし、しきい値として、電波強度だけでなく、周波数を基準としてもよい。つまり、所定の電波強度を超える信号であって、所定の周波数を超える信号を異常と判断するようにする。
【００７２】
次に、この監視システムで、不正を検出する手順を説明する。
例えば、不正信号を発信するこの発明の信号発信手段１７を携帯した不正者が、遊技機１ｂの前に座って、不正信号を発信させながら遊技をしているとする。その場合、上記信号発信手段１７からは、矢印１８のように不正信号が発信され、遊技機１ｂの制御基板に対して不正信号が作用する。なお、図１６および図１７では、不正信号が遊技機固有のＩＤを発信するＩＣシール４ｂに作用しているように見えるが、不正信号は制御基板に作用してその制御を狂わせるものである。上記ＩＣシール４ｂは、管理コンピュータＣがＩＤを検出するためだけならば、遊技機１ｂのどこに貼付するようにしてもよいが、上記補助ケーブルアンテナ１６ｂが、ＩＤを受信するとともに、制御基板に作用する不正信号も受信するためには、上記ＩＣシール４ｂを制御基板の近くに貼付する必要がある。従って、この実施形態では、図１６，図１７に示すＩＣシール４ｂの位置が制御基板の位置を示しているものとする。
【００７３】
そして、リーダーＲ１が、所定のタイミングで不正信号を受信し、それを管理コンピュータＣへ入力した場合には、管理コンピュータＣのデータ処理部１０は、次のような処理を行なう。まず、受信した信号がＩＤでないことを判断し、次に、その信号強度を記憶部１１が記憶しているしきい値と対比する。上記したように、不正信号の強度は、しきい値を超えるので、データ処理部１０は異常信号と判定し、その結果を出力部１２へ出力する。
警報などが発せられたら、遊技場の従業員は遊技中の不正者がいることを知ることができる。
なお、リーダーＲ１が、受信信号がどの補助ケーブルを介して受信したものかを判断できるようにしておけば、管理コンピュータＣのデータ処理部１０では、不正信号の発信装置１７に対応する遊技機１ｂを特定することができる。従って、その結果が出力されれば、従業員は、不正者をすぐに突き止めることができる。
【００７４】
ただし、管理コンピュータＣで、個々の遊技機を特定できなくても、不正信号を受信したリーダーＲ１を特定できれば、データ処理部は、このリーダーＲ１に対応した島などのエリアを特定することができる。例えば、島が特定できれば、従業員は、その島に行って、遊技機や遊技者の様子を監視することによって、不正を突き止めたり、止めさせたりすることもできる。
このように、第８実施形態のシステムでは、遊技機の制御基板に対して異常信号が発信されたとき、大掛かりな設備を用いなくても、その不正を検出することができる。しかも、遊技機固有のＩＤを監視するシステムと同じ設備を共有することができるので、コストをかけないで、より精度の高い監視が可能になる。
【００７５】
また、第８実施形態のような、制御基板に作用する外部からの信号を受信するシステムとしては、上記第１〜第７実施形態のいずれの構成も利用することができる。そして、いずれの構成を用いた場合でも、遊技機固有のＩＤの監視と、異常信号の監視の両方を行なうことができる。
ただし、ＩＤの監視を行なわずに、外部からの信号のみを監視するようにしてもかまわない。そのばあいには、遊技機に上記ＩＣシールなど、固有のＩＤを発信するＩＤ発信手段を設ける必要はない。
【図面の簡単な説明】
【００７６】
【図１】第１実施形態のシステム全体の構成図である。
【図２】第１実施形態のシステムの部分の詳細図である。
【図３】第１実施形態のＩＣシールの構成図である。
【図４】第１実施形態の管理コンピュータおよびリーダーの構成図である。
【図５】第２実施形態のシステム構成図である。
【図６】第２実施形態のリーダーの構成図である。
【図７】第３実施形態のシステム構成図である。
【図８】第３実施形態における漏洩ケーブルアンテナごとの検出可能な位置を示したテーブルである。
【図９】第３実施形態における固有のＩＤと位置の対応関係を示したテーブルである。
【図１０】第４実施形態のシステム構成図である。
【図１１】第４実施形態における漏洩ケーブルアンテナごとの検出可能な位置を示したテーブルである。
【図１２】第５実施形態のシステム構成図である。
【図１３】第５実施形態における漏洩ケーブルアンテナごとの検出可能な位置を示したテーブルである。
【図１４】第６実施形態のシステム構成図である。
【図１５】第７実施形態のシステム構成図である。
【図１６】第８実施例のシステム構成図である。
【図１７】第８実施例のシステム構成図であり、図１６の一部分である。
【符号の説明】
【００７７】
１      遊技機
１ａ，１ｂ，・・・      遊技機
２，３      漏洩ケーブルアンテナ
４ａ，４ｂ，・・・      ＩＣシール
８      送受信部
９      データ処理部
１０      データ処理部
１１      データ記憶部
１３      アンテナ切換回路
１４，１５      遮蔽部材
１６ａ，１６ｂ，・・・      補助伝導ケーブルアンテナ
Ｃ      管理コンピュータ
Ｒ１，Ｒ２      リーダー
ｘ１，ｘ２      漏洩ケーブルアンテナ
ｙ１，ｙ２      漏洩ケーブルアンテナ
（Ａ），（Ｂ），（Ｃ）      位置
ｐ１〜ｐ４          位置
【図１】
2006122648.tif 000003
【図２】
2006122648.tif 000004
【図３】
2006122648.tif 000005
【図４】
2006122648.tif 000006
【図５】
2006122648.tif 000007
【図６】
2006122648.tif 000008
【図７】
2006122648.tif 000009
【図８】
2006122648.tif 000010
【図９】
2006122648.tif 000011
【図１０】
2006122648.tif 000012
【図１１】
2006122648.tif 000013
【図１２】
2006122648.tif 000014
【図１３】
2006122648.tif 000015
【図１４】
2006122648.tif 000016
【図１５】
2006122648.tif 000017
【図１６】
2006122648.tif 000018
【図１７】
2006122648.tif 000019